(57)【要約】      （修正有）【課題】山地や傾斜地において雑草等の刈払作業に使用するもので、靴への脱着をきわめて容易にするとともに、靴への装着感を向上させた靴の滑り止め具を提供する。【解決手段】上面に靴底と滑り止め具とのズレを防止する立爪が斜設され、下面に台立爪、小立爪が接地方向に垂下され、四隅に締結帯の両端部を揺動自在に係止する基板と、ストラップ７にラチェットバックル６を用いた締結帯より構成されている。ラチェットバックル６は、ストラップ７の引込みをガイドすると共に、ストラップ７の裏面が押し付けられる受け面６４を構成する基台６１と、送り面７１に対してストラップ７を引込む方向への係合をなすラチェットレバー６２と、送り面７１に係合して、引込む方向とは反対方向にストラップ７が戻ることを阻止及び解除する切替爪６３とを備え、靴の裏面に着脱自在に固縛する。【選択図】図３
0003224471.tif 000002
【実用新案登録請求の範囲】
【請求項１】
上面に靴底と滑り止め本体とのズレを防止する複数の立爪が斜設され、下面に複数の立爪が接地方向に垂下され、四隅には締結帯の両端部を揺動自在に係止する各一対の取付片が設けられた滑り止め本体と、
前記取付片に取り付けられる一対のストラップと、前記ストラップの表面に設けられた鋸刃状の送り面を有するストラップの締付状態を調整するラチェットバックルよりなる締結帯とから構成されており、
前記ラチェットバックルは、前記ストラップの引込をガイドすると共に、前記ストラップの裏面が押し付けられる受け面を構成する基台と、
前記送り面に対してストラップを引込む方向への係合をなすラチェットレバーと、
前記送り面に係合して、前記引込む方向とは反対方向に前記ストラップが戻ることを防止または解除する切替爪とを備えた靴の裏面に着脱自在に固縛する靴の滑り止め具。
【請求項２】
前記ラチェットレバーの基端部は、基台におけるストラップの挿入側の回転軸に、ラチェットレバーをストラップの送り方向へ倒しこむ力を加える付勢手段を備えて回動自在に軸支されており、基端にはストラップの鋸刃を前進させる送り歯がストラップを前進させる方向に向けて掛かりを持つように形成されている請求項１に記載の靴の滑り止め具。
【請求項３】
前記ラチェットバックルの切替爪は、基台におけるストラップの排出側の回転軸に、切替爪をストラップの送り方向へ倒し込む力を加える付勢手段を備えて回動自在に軸支されており、先端にはストラップの鋸刃の後退を阻止する歯がストラップの後退を阻止する方向に向けて掛かりを持つように形成されている請求項１または２に記載の靴の滑り止め具。
【考案の詳細な説明】
【技術分野】
【０００１】
本考案は、山地や傾斜地において雑草等の刈払作業に好適に用いることができる、靴の滑り止め具に関するものである。
【背景技術】
【０００２】
山地や傾斜地で作業を行う場合には、足元が不安定で滑りやすく作業がし難いものである。そのため長時間作業を行うのは難儀であり疲労が蓄積する。そこで、靴の下面に装着して足元を保持する様々な補助具が提案されている。
【０００３】
例えば、本出願人は、靴の裏面に装着する滑り止め本体と、該滑り止め本体を靴に固縛する締結帯よりなる靴用滑り止め具を開示している（特許文献１、特許文献２）
また、一方の面に鋸刃状の送り面を有するストラップの締付状態を調整するためのラチェットバックルであって、ラチェット機構、解除機構および解除保持機構を備えたラチェットバックルが開示されている（特許文献３）。
【先行技術文献】
【特許文献】
【０００４】
【特許文献１】特許登録第６０９２７２８号公報
【特許文献２】特開２０１５-０１９７１７号公報
【特許文献３】特開２０１８-０９４２９３号公報
【考案の概要】
【考案が解決しようとする課題】
【０００５】
特許文献１及び２に記載の靴用滑り止め具は、靴の裏面に装着する滑り止め本体と、該滑り止め本体を靴に固縛する締結帯よりなる。滑り止め本体は、接地方向に複数の爪が立設されていると共に前記締結帯を着脱自在に係止する一対の係止片が設けられており、接続端を有する前部装着部と、該前部装着部の接続端をスライド自在に保持するスライドガイドを有する後部装着部よりなる。締結帯は、滑り止め本体に夫々着脱自在に装着された前部取付帯及び後部取付帯及びこれらをスライド自在又は固着して連結する連結帯から構成されている。
前記締結帯は、着脱自在なワンタッチ締結具を使用しており、着脱は容易である。しかしながら、靴への締付具合を調節するときは、事前に何度もベルト長さを調節する必要があり、十分な装着感を得るまでに装着に時間がかかるという問題があった。
【０００６】
また、特許文献３に示すラチェットバックルは、一方の面に鋸刃状の送り面を有するストラップの締め付け状態を調整するためのラチェットバックルであって、前記ストラップの引き込みをガイドすると共に、前記ストラップの他方の面が押し付けられる受け面を構成するベースと、前記送り面に対してストラップを引き込む第１の方向への係合を成すラチェットレバーを備えたラチェット機構と、前記送り面に係合して前記第１の方向と反対の第２の方向へ前記ストラップが戻る事を防止する爪と、前記送り面に対する前記ラチェットレバーの係合を解除することで、前記送り面に対する前記爪の係合も解除する解除機構と、前記ラチェットレバーと前記爪との係合解除状態を保持する解除保持機構とを備えたものである。
しかしながら、このラチェットバックルは、ソフトブーツ用のスノーボードにおけるビンディングのストラップを固定するために用いるラチェットバックルであり、簡単且つ即時に操作できることを目的として、ワンタッチで着脱ができるように構成されている。しかしながら、構造が複雑になるという問題があった。
【課題を解決するための手段】
【０００７】
本考案の靴の滑り止め具は、前記課題を解決するためになされたものであり、上面に靴底と滑り止め本体とのズレを防止する複数の立爪が斜設され、下面に複数の立爪が接地方向に垂下され、四隅には締結帯の両端部を揺動自在に係止する各一対の取付片が設けられた滑り止め本体である、該滑り止め本体には、前記取付片に取付られる一対のストラップと、前記ストラップの表面に設けられた鋸刃状の送り面を有するストラップの締付状態を調整するラチェットバックルよりなる締結帯が取付けられている。
【０００８】
ラチェットバックルは、ストラップの引込みをガイドすると共に、前記ストラップの裏面が押し付けられる受け面を構成する基台と、前記送り面に対してストラップを引込む方向への係合をなすラチェットレバーと、前記送り面に係合して、前記引込む方向とは反対方向に前記ストラップが戻ることを防止または解除する切替爪とを備えている。
【０００９】
本考案の靴の滑り止め具は、ラチェットレバーの基端部が、基台におけるストラップの挿入側の回転軸に、ラチェットレバーをストラップの送り方向へ倒しこむ力を加える付勢手段を備えて回動自在に軸支されており、基端にはストラップの鋸刃を前進させる送り歯がストラップを前進させる方向に向けて掛かりを持つように形成されている。
【００１０】
本考案の靴の滑り止め具は、前記切替爪が、基台におけるストラップの排出側の回転軸に、切替爪をストラップの送り方向へ倒しこむ力を加える付勢手段を備えて回動自在に軸支されており、先端にはストラップの鋸刃の後退を阻止する歯がストラップの後退を阻止する方向に向けて掛かりを持つように形成している。
【考案の効果】
【００１１】
本考案の靴の滑り止め具を靴の裏に装着するときは、締結帯を予め緩めておいた靴の滑り止め具を靴の裏に装着し、ラチットバックルを一方の手で把持したまま他方の手でストラップを送出側に引っ張ると容易に締結でき、更に増し締めするときはラチェットレバーを１回引上る毎に、鋸刃状の送り歯を１歯進める（締める）ことができるので、装着者の好みにあった装着感で締結することができる。
また、靴の滑り止め具を靴の裏から外すときは、切替爪の送り込み側（付勢方向とは逆方向）を一方の指で押圧したままで、他方の手でストラップを後退させる（緩める）方向に引っ張ると容易に取り外すことができる。
【図面の簡単な説明】
【００１２】
【図１】本考案の実施形態を示す靴の滑り止め具の斜視図である。
【図２】本考案の一実施形態を示す滑り止め本体であり、（ａ）は平面図、（ｂ）は左側面図、（ｃ）は上面図、（ｄ）は底面図である。
【図３】本考案の一実施形態に係るラチェットバックルと、該ラチェットバックルに対応したストラップの構成を示す一部断面側面図である。
【図４】本考案の一実施形態に係るラチェットバックル切替爪を押圧してストラップを緩める操作を説明する側面図である。
【図５】本考案の一実施形態に係るラチェットバックルを操作してストラップを締付る操作を説明する側面図である。
【図６】本考案の一実施形態に係るラチェットバックルを操作してストラップを１歯進めた状態を説明する側面図である。
【考案を実施するための形態】
【００１３】
以下、本考案の一実施形態について図面に基づき詳細に説明する。靴の滑り止め具１は、農林作業等において靴に装着するものであって、靴の裏面に装着する滑り止め本体２と、該滑り止め本体２を靴に固縛する締結帯３より構成されている。前記靴の滑り止め具１は左右の靴に装着して一対となるが、説明の便宜上片方のみで説明する。なお、前記締結帯３は左右対称となる。
【００１４】
図１において、靴の滑り止め具１は、滑り止め本体２と締結帯３で構成されており、締結帯３は、前記滑り止め本体２に夫々揺動自在に装着された前部取付帯４及び後部取付帯５から構成されている。また、６はラチェットバックル、７はストラップ、８は靴の踵保持帯である。
【００１５】
前部取付帯４に取付けられたストラップ７の基端は連結金具９を用いて滑り止め本体２の係止片２３に揺動自在に取付けられており、前記ストラップ７の他端は自由端となっている。また、他端の係止片２３には、端部にラチェトバックルを連結した補助締結帯４ａが揺動自在に取付けられている。
【００１６】
後部取付帯５に取付けられたストラップ７の基端は靴の踵保持帯８の一端に回動自在に連結されており、前記ストラップ７の他端は自由端となっている。また、他端は端部にラチェトバックル６を連結した補助締結帯４ｂは靴の踵保持帯８の一端に回動自在に連結されている。靴の踵保持帯８の両端は、係止片２３に連結金具９を介して揺動自在に取付けられている。
【００１７】
図２（ａ）、（ｂ）、（ｃ）、（ｄ）において、滑り止め本体２は、略長方形の基板２１が一体的に形成されている。該基板２１の外周縁には、接地方向に８個の大立爪２２が垂下されており、四隅には前部取付帯４及び後部取付帯５を係止する其々一対の係止片２３が形成されている。該係止片２３には前記締結帯３を揺動自在に取付ける取付穴２４が形成されている。
また、前記基板２１の前部、中部及び後部に貫設された略方形孔の内周縁には、接地方向に向けて５個の小立爪２５が垂下されている。また、装着した靴と滑り止め本体２とのズレを防止するために、前記基板２１の前部縁に３個、後部縁に５個の立爪２６が斜設されている。
【００１８】
図３および図４において、ラチェットバックル６は連結帯３の一部を構成しており、ストラップ７の引込みをガイドすると共に、前記ストラップ７の裏面が押し付けられる受け面６４を構成する基台６１と、送り面７１に対してストラップ７を引込む方向への係合をなすラチェットレバー６２と、前記送り面７１に係合して、前記引込む方向とは反対方向に前記ストラップ７が戻ることを阻止または解除する切替爪６３とを備えた構成となっている。
【００１９】
したがって、一端部を固定された前記ストラップ７を締め込むことで、その機能をなすものであり、ストラップ７は少なくとも一方の面に鋸刃状の送り面７１を有している。また、ストラップ７全体として可撓性を備えつつ、鋸刃状の送り面７１は、ラチェットレバー６２や切替爪６３の係止を保持できる剛性を持つ樹脂等により構成されている。
【００２０】
ラチェットバックル６は、基台６１と、ラチェットレバー６２及び切替爪６３より構成されている。基台６１は、ストラップ７の引き込みをガイドすると共に、ストラップ７の他方の面７２が押し付けられる受け面６４を有しており、切替爪６３やラチェットレバー６２が送り面７１と係合した際に、ストラップ７の逃げを抑えることができ、ストラップ７の引き込みや、ストラップ７を締付た状態での維持が可能となる。
【００２１】
ラチェットレバー６２は、基台６１に沿ってストラップ７を引き込む役割を担うものであり、基台６１におけるストラップ７の挿入側中心軸６５に回動自在に配置されている。ラチェットレバー６２は、基台６１に対して矢印ＡまたはＢ方向に回動することで、基台６１の受け面６４に対して送り歯６６が離間または近接するように回動させることが可能となる。ラチェットレバー６２の基端部に設けられた送り歯６６は、ストラップ７の挿入側に設けられており、その送り歯６６は、ストラップ７の送り出し側に向けて掛かりを持つように形成されている。また、ラチェットレバー６２は、テコの原理により送り歯６６による送り力を高められるように、送り歯６６よりも挿入側中心軸６５からの距離が長くなるように形成されている。
【００２２】
送り歯６６は１個であり、ラチェットレバー６２をＡの方向へ回動させた際、ストラップ７における送り面７１の鋸刃７３と、送り歯６６が噛み合う鋸刃状に形成されている。ラチェットレバー６２が矢印Ｂの方向へ回動する際には、送り面７１の鋸刃７３に対して送り歯６６が離間する方向へ揺動する。このため、ラチェットレバー６２に形成された送り歯６６は、ストラップ７の送り面７１を構成する鋸刃７３とは噛み合わない。
【００２３】
また、基台６１には、該基台６１の挿入側の回転軸６５周りに、ラチェットレバー６２をストラップ７の送り方向へ倒しこむ力を加える付勢手段（バネ、図示しない）が備えられている。このため、ラチェットレバー６２は、矢印Ａの方向へ回動させる力（例えば、指で引き上げる）を解除すると、付勢手段の力により矢印Ｂの方向へ押し戻される。
【００２４】
切替爪６３は、ストラップ７の送り面７１の鋸刃７３に係合し（図３参照）、ストラップ７の逆戻りを防止する役割を担う。該切替爪６３は、基台６１の送出側の回転軸６８に回動自在に軸支されており、付勢手段（切替爪押圧バネ、図示しない）が備えられ、歯６３ａをストラップ７の送り面７１側に押し付ける方向の力が加えられている。これにより、ストラップ７は送り側には移動可能であるが、戻り側への移動が規制されている。このような構成により、切替爪６３の歯６３ａとは反対側の押圧部６３ｂを押圧すると、付勢手段による押圧力を超える力で解除方向に押圧保持（例えば、親指で押圧）され、送出側回転軸６８を中心として切替爪６３の歯６３ａが回動して前記歯６３ａと送り面７１の鋸刃７３との係合が解除される（図４参照）。
【００２５】
次に、上記のように構成したラチェットバックル６を用いてストラップ７の締込み及び解除の動作を、図５および図６を参照して説明する。まず、ストラップ７の締込み動作では、図５に示すように、ストラップ７の自由端を基台６１に挿入して、該基台６１の送出側から前記ストラップ７の自由端が指先で挟持できる長さ以上を引き出しておく。次に靴底に、本発明の靴の滑り止め具１を装着することが望ましい。なお、靴底に、本発明の靴の滑り止め具１を装着した後に、ストラップ７の自由端を基台６１に挿入して、該基台６１の送出側から前記ストラップ７の自由端が指先で挟持できる長さ以上を引き出すことも、当然可能である。
【００２６】
ここで、装着者は一方の手で前記ラチェットバックル６を保持した状態で、他方の手で前記ストラップ７の先端部分をＣ方向に引き出すと、靴と前部取付帯４を締結することができる。前記前部取付帯４を増し締めしたい時は図５および図６に示すようにラチェットレバー６２をＡ方向に１回回動する（引き上げる）と、前記ラチェットレバー６２の送り歯６６がストラップ７の鋸刃７３に係合して前記ストラップ７の鋸刃７３が１刃分引き出される（Ｃ方向に進む）。これを繰り返すことにより、前記装着者は前記ストラップ７を所望する締付具合（装着感）に調整することができる。なお、後部取付帯５を靴に装着する手順も、前記同様に行うことができる。
【００２７】
なお、図３に示すように、ラチェットレバー６２を作動させない状態（ラチェットレバー６２の先端が送り面に倒れている状態）では、送り歯６６と送り面７１とは係合していない。また、切替爪６３の歯６３ａが付勢手段の力により送り面７１に押し付けられているため、ストラップ７は引き戻されること無くロックされる。
【００２８】
次に、ストラップ７の締結を解除する時は、図４に示すように切替爪６３の押圧部６３ｂを指先等で押圧したまま保持する。この状態では、ラチェットレバー６２の送り歯６６がストラップ７の送り面７１（鋸刃７３）から引き上げられた状態にある。この状態を保持したまま、他方の手でストラップ７をＤ方向（戻り方向）に引き戻すと、ストラップ７を緩めたり、ラチェットバックル６からストラップ７を引き抜くことが可能となる。
【産業上の利用可能性】
【００２９】
本考案の靴の滑り止め具は、雑草等の刈払作業だけでなく、雪道や凍結した道路等における滑り止め具として、広く適用することができる。
【符号の説明】
【００３０】
１  靴の滑り止め具
２  滑り止め本体
２１  基板
２２  大立爪
２３  係止片
２４  取付穴
２５  小立爪
２６  立爪
３  締結帯
４  前部取付帯
５  後部取付帯
６  ラチェットバックル
６１  基台
６２  ラチェットレバー
６３  切替爪
６３ａ  歯
６３ｂ  押圧部
６３ｃ  切替爪押圧バネ固定穴
６４  受け面
６５  挿入側回転軸
６６  送り歯
６８  送出側回転軸
６９  係合部
７  ストラップ
７１  送り面
７２  他方の面
７３  鋸刃
７４  自由端
８  靴の踵保持帯
９  連結金具
【図１】
0003224471.tif 000003
【図２】
0003224471.tif 000004
【図３】
0003224471.tif 000005
【図４】
0003224471.tif 000006
【図５】
0003224471.tif 000007
【図６】
0003224471.tif 000008